(57)【要約】徐放性マトリックスに保持されたＬ−プロリンおよび天然餌材料を含む魚類の餌であって、Ｌ−プロリンは、天然餌材料の重量より大きい重量存在する、魚類の餌を開示している。前記餌は、商業はえなわ漁において主に使用される。【特許請求の範囲】
【請求項１】
徐放性マトリックスに保持されたＬ−プロリンおよび天然餌材料を含む魚類の餌であって、
Ｌ−プロリンは、天然餌材料の重量より大きい重量存在する、魚類の餌。
【請求項２】
請求項１において、
Ｌ−プロリンは、約３から７重量％存在し、好ましくは５重量％存在する、魚類の餌。
【請求項３】
請求項１または２において、
徐放性マトリックスは、未水和または水和性の形で存在する徐放性の水分解性重合体である、餌。
【請求項４】
請求項３において、
水分解性重合体は、カラゲニン（carrageenin）またはその他の親水コロイドである、餌。
【請求項５】
請求項１ないし４のいずれかにおいて、
天然餌材料は、粉末状の凍結乾燥魚である、餌。
【請求項６】
請求項５において、
粉末状の凍結乾燥魚は、２〜１０重量％存在し、好ましくは２〜４重量％存在する、餌。
【請求項７】
請求項１ないし６のいずれかにおいて、
光活性化された化学ルミネセンス材料をさらに含む、餌。
【請求項８】
請求項１ないし７のいずれかにおいて、
織物基質またはその他の支持媒体に保持されている、餌。
【請求項９】
繊維基質を含む魚類の餌であって、
前記繊維基質は、
Ｌ−プロリンを魚類の化学誘引剤として含む徐放性の水分解性重合体と、
魚類の食用興奮剤として粉末状の凍結乾燥魚と、
を保持する、魚類の餌。
【請求項１０】
請求項１ないし９のいずれかに記載の魚類の餌の、はえなわ漁における餌としての使用。
【請求項１１】
請求項１ないし９のいずれかに記載の魚類の餌の、タラのはえなわ漁における餌としての使用。
【請求項１２】
Ｌ−プロリンが添加された魚類の餌の、タラのはえなわ漁における餌としての使用。
【請求項１３】
請求項１ないし９のいずれかに記載の魚類の餌の、マリンスポーツフィッシングにおける餌としての使用。
【請求項１４】
養殖魚のための請求項１ないし９のいずれかに記載の魚類の餌の使用。
【発明の詳細な説明】
【技術分野】
【０００１】
本発明は魚類の餌に関し、特に商業はえなわ漁における使用向けの魚類の餌に関する。また前記餌は、スポーツおよびレジャーフィッシングにおける用途も有する。
【背景技術】
【０００２】
今日、大抵の漁師は、釣り糸および釣り針を用いた漁のために魚類をベースとした餌を使用している。餌は、生または冷凍のどちらでも購入される。船が１度に最大１０万個の釣り針で漁を行うことのできる商業漁セクターにおいて、重量において１０〜２３ｇの範囲内の魚類の餌が使用される。現在、餌魚の価格は、容赦なく上昇しているため、餌魚の価格は、商業漁における最大のコストの１つになっている。
【０００３】
商業漁の２つの主な方法は、はえなわ漁とトロール漁である。はえなわ漁は、釣り糸の長さに沿って餌を付けた釣り針を有するとても長い釣り糸を使用する。この釣り糸は、海中の指定された深さでおもりを使って並べられた後、数時間放置され、それからボート上に引き戻され、釣り針がボートに入ったときに、魚類は釣り針から取り除かれる。別の釣り糸を引き戻す間、１つの釣り糸をうつため、漁は連続的であることができる。
【０００４】
トロール漁は、漁船の後ろで３〜５時間の間、平均時速約３マイルの速度で巨大なネットを牽引することを伴う。それからネットは、引っ張られてデッキ上に引き上げられる。ネットから魚類を取り除くこと、次のトロール漁で再びうつための準備でネットを修繕することおよび再配置することに、さらに２時間費やされる。はえなわ漁船のエネルギー消費は、同じサイズのトロール漁船のエネルギー消費よりはるかに少ない。はえなわ漁において、釣り糸の重さを引っ張らなければならないのは１人だけである。トロール漁は、一度に何時間も巨大なネットを引くことが必要であり、巨大なネットを引くことは、膨大な量のエネルギーを必要とする。
【０００５】
はえなわ漁船は、トロール漁船（通常、強風の力（Ｇａｌｅ  Ｆｏｒｃｅ）６）よりはるかに荒れた海（通常、強風の力（Ｇａｌｅ  Ｆｏｒｃｅ）９）でも漁を行うことができる。はえなわ漁は、とても環境に都合のよい漁の方法である。ただ１つの所定のサイズの釣り針が釣り糸に使用されるため、釣り針と餌をのみ込むのに十分な大きさの魚類だけを捕獲できる。はえなわ漁船において、通常より小さな魚類が捕獲されることはめったにない。それゆえこれらの未熟な魚は、成長および繁殖するように海中に残され、この結果、魚類の資源量を維持することに役立つ。捕獲された魚類の全ては、所望の最小サイズからなり、全てが保存され、陸揚げされることができる。この方法において、適切なサイズの釣り針を使用することは、所定のサイズの魚類を標的とすることを可能とする。はえなわ漁船から捨てられるものはない。
【０００６】
全体的にはえなわ漁によって捕獲された魚類は、トロール漁によって捕獲された魚類より高い品質のものである。トロール漁において、トロール網を最初に牽引し始めたときにより早く捕獲された魚類は、「袋網」として知られているネットの後部の中に納まる。ますます多くの魚類が捕獲されるにつれて、これらは、「袋網」魚類の上部に詰め込まれるようになり、押しつぶされ、そしてダメージを受けることによって、品質および市場価格が低下する。ネットの中に巻き込まれた魚類もダメージを被ることがあり、その価値を低減させる。はえなわ漁で捕獲された魚類は、相対的にダメージが少ないため、より高い市場価格を有する。それぞれの魚類は、１つの釣り針で別々に捕獲される。
【０００７】
伝統的に、はえなわ漁の平均的なサイズの餌は、通常、優良な魚類で１０〜１５ｇである。現在このエリアで使用されているはえなわ漁の餌は、優良な食用魚類として分類されることのできるサバであり、餌として使用されるための魚類ではない。そのため、上述した魚類は、相対的に高価である。今日のはえなわ漁船は、舷側に餌魚を保存するための巨大な貯蔵冷凍装置を必要としている。
【０００８】
はえなわ漁が現在直面している問題の１つは、餌をつける効率である。たとえば未加工のサバを用いて、未加工の魚類が自動餌付け装置（autobaiter）の上に送られる。ボートの後方から釣り糸がうたれたときに、自動餌付け装置は、サバを５または６切れに切り分ける。釣り針は、魚類の各スライスを突き抜けて海中にうたれる。この方法で餌をつけることは、多くの場合、魚類の６スライスのうち４スライスだけが実際に最後には釣り針上にあり、餌をつけた釣り針の全体的な割合が減少することを意味する。魚類は餌のついていない釣り針をのみ込むことはないため、このことは、魚類の捕獲量を次々に減少させる。先細の頭部および尾部は、釣り針につける餌としては固すぎるため、効率におけるこの低下は、いわば魚の形によるものである。また、餌が固すぎる、または柔らかすぎる場合には、釣り針への餌付けの成功数が減少するため、冷凍状態の魚類は、餌をつける効率に影響を与える。
【０００９】
はえなわ漁が直面しているもう１つの主な問題は、漁の間の餌の紛失である。釣り針につけられた餌のうち、所定の割合は、「ドロップオフ」のために紛失する。釣り糸がボートの後方からうたれたときに、餌の所定の割合は、「ドロップオフ」して水に衝突する。釣り糸が水面下にある漁の期間は、餌の所定の割合は、「サックオフ」のために紛失する。これは、魚類が実際に釣り針をのみ込まずに、餌を吸い込むことである。この方法によって、魚類が実際に捕獲される前に、多くの餌が紛失する可能性がある。最大２０％のはえなわ漁の餌が「ドロップオフ」および「サックオフ」によって紛失していることを、統計は示している。このことは、元来の漁の効率に重大な低下の跡を残すものである。
【００１０】
近年、ボートの後方から釣り糸がうたれたとき（釣り糸を配置しているとき）に、アホウドリのような鳥類が釣り糸上の釣り針から餌をとっていた。釣り針によるけがによって、鳥類の死亡率は高かった。今ではボートの下方から直接的に水面下に釣り糸はうたれるため、鳥類が餌を盗むのを防ぐと同時に、首尾良くより高い割合の釣り針に餌がつけられることから漁の効率が向上し、今ではこの問題は解決している。
【発明の開示】
【００１１】
本発明によれば、徐放性マトリックスに保持されたＬ−プロリンおよび天然餌材料を含む魚類の餌において、Ｌ−プロリンは、天然餌材料の重量より大きい重量存在する、魚類の餌が提供される。
【００１２】
好ましい実施形態において、不織布の繊維基質を含む魚類の餌であって、前記繊維基質は、Ｌ−プロリンを魚類の化学誘引剤として含む徐放性の水分解性重合体と、魚類の食用興奮剤として粉末状の凍結乾燥魚と、を保持する、魚類の餌が提供される。
【００１３】
本発明の餌は、以下の利点を有することができる。
１．必要な重量は、３ｇ以下であり、
２．乾燥させることができるため、世界のどこへでも輸送することができ、
３．多くの異なる種の魚類をひきつけることが可能であることができ、
４．良好な貯蔵可能期間を有することができ、そして
５．相対的に安価に製造することができる。
【００１４】
餌は、２つの主な形式をとることができ、即ち、商業セクターのために３〜５時間の期間機能する餌と、スポーツ市場のために３０分から１時間の期間機能する餌である。餌の異なる形式化は、異なる種の魚類に適応するために進化することができる。
【００１５】
餌は、さらに以下に説明される５つの成分からなってもよい。
１．人工の不織布の織物またはその他の支持媒体
２．未水和または水和性の形で存在する水分解性重合体
３．化学誘引剤
４．食用の興奮剤
５．化学ルミネセンス
織物マトリックスのような支持媒体は、餌の構造上の「土台」である。それは、釣り針を取り付ける工程の間、当該釣り針によって突き通されるのに十分に柔軟でなければならず、それから、水を通過するときの摩擦によって、海中にいる間、釣り針から落ちない程度に十分に柔軟でなければならない。餌は、釣り糸が牽引されているときに餌が取り除かれる、かつ、釣り針が再び使用される前に、餌を清掃できるように、釣り針は過度に固く取り付けてはならない。マトリックスは、視覚上の興奮剤としてふるまわせることができるように、「リボン状の」外観を伴った餌を提供することもできる。
【００１６】
多くの場合、漁用の餌は、釣り針に固く取り付けることができないため、商業漁船から当該餌をうつときに、餌のうち最大２０％は、「ドロップオフ」によって紛失する。これに加えて、成長しきったタラは、遠い所から釣り針から魚類の餌を吸い落とすことができ、１匹のタラは、最後に捕獲されるまで、この方法で最大２０個の餌をとることができる。
【００１７】
これらの理由のため、材料の選択は、餌のでき具合にとって重要である。固く釣り針に取り付けられたままで、かつ、釣り針を清浄する機械で除去することができる天然繊維から作られた織物を使用するのが望ましい。
【００１８】
徐放性の水分解性重合体は、２つの意図を提供する。
１．徐放性の水分解性重合体は、餌が海中にいる間に化学誘引剤が餌から水中に放たれる手段と、
２．不織布マトリックスとの組み合わせにおいては、徐放性の水分解性重合体は、本物の魚類の餌に食いついているという感触を、反応している魚類に与えることが要求されている表面の織物の特性を提供する。
【００１９】
好ましくは、前記重合体は、カラゲニンまたはその他の親水コロイドである。
【００２０】
化学誘引剤は、水に溶解するときに、標的の魚類を餌におびき寄せる。その化学物質は、標的の魚類に対して、食べるための生きた獲物の魚類が近くに存在するという「シグナル」のようにふるまう。養魚池テストでは、魚がこの化学物質の「におい」の方に、新鮮な食べ物だと信じてすぐに来る場合があることが示された。化学誘引剤は、Ｌ−プロリンであり、約３から７重量％存在することが好ましい。
【００２１】
化学誘引剤はにおいがないため、少量の乾燥魚類、通常は２〜１０％、より通常は２〜４％の量の乾燥魚類を、食用の興奮剤として、味をだすために餌に加えても良い。本物の魚のような味がすればするほど、捕まえることのできる魚類の長さが長くなり、そして魚類をひっかける機会が多くなる。
【００２２】
餌布の先端は光活性化された化学ルミネセンス材料を含むことも可能である。これは、最初に目を使って食物の場所を突きとめる傾向のある所定の魚類の種類のために、特別の誘引成分を、餌に添加してもよい。
【００２３】
未加工の魚類に類似した形に薄切りされて釣り針につけられる材料からなる、ある長さの餌を生産することが目的である。しかしながら、材料は一定のサイズおよび強度であるため、餌を取り付ける効率は、はるかに高い。新しい餌に適合する自動餌付け装置を設計することがまさに問題である。
【００２４】
餌のデザインのため、そのサイズと強度は、漁の間に紛失する餌の割合をほぼ完全に皆無にすることはしないまでも、劇的に減少させることが可能であることを意味する。それゆえ魚類の捕獲効率は、はるかに向上し、それによって収益性が向上する。
【００２５】
前記餌は、餌として一般に使用されている冷凍魚類より貯蔵および輸送がはるかに容易である。サバなどのはえなわ漁の餌は、完全に冷凍され、およそ１年の間、−４０℃の温度でおよそ１年の貯蔵可能期間を有する。そのようなかさ高な餌の輸送は、とても費用がかかる。同一の貯蔵温度で、本発明の餌は、いつまでも貯蔵可能である。このため、前記餌は、大きな冷凍装置の必要なく、速く、安価に、そして容易に世界中を輸送可能である。
【００２６】
本発明の餌は、数グラム（２〜３ｇ）の重量だけが必要であるため、大量の高価で優良な魚類の餌が要求されない。餌における実際の魚類成分は極小のものである。巨大な貯蔵装置を舷側に有する必要がない。家庭用規格の冷凍庫は、漁を行う航海の間に必要な前記餌の全てを貯蔵することができる。そのため、船は、燃料およびデッキのスペースを確保することができる。餌は、使用前に加水するために乾燥状態に加工される場合には、貯蔵の節約はいっそう顕著になるだろう。
【００２７】
前記餌の構想は、以前は決して実行できなかった事である、漁場において特殊な魚類の種類を標的にすることを可能とするために、異なる「風味」を使用することを許容する。たとえば、北海において、タラは、１年のうち特定の期間、入手可能なものに依存する多くの異なる種を餌にする。好まれる餌食の１つは、イカである。春の間、イカナゴは豊富にあり、主な食糧資源の１つである。しかしながら、イカは、春の間豊富にはないが、交配するために集まる初秋に、より豊富になり、そのときにイカはより簡単な標的になる。イカの風味をつけた餌を使うことによって、タラの食べ物の好みをつかむことが期待でき、そしてより多くの魚類を捕獲することが期待される。このため、とても正確に特殊な魚類の種類を標的とすることができる。このことは、商業漁において重大な飛躍的進歩であり、適切に管理されたならば、世界の魚類のストックの減退を止めることができる。
【００２８】
ツノガレイ（plaice）、ヒラメ（brill）、大型ヒラメ（turbot）などのようなフラットフィッシュ（flatfish）を標的とすることを可能とすることもできる。以前に、フラットフィッシュ漁の効果的な唯一の方法として「ビームトローリング（beam−trawling）」が考案された。これは、たぶん最も破壊的な公知の漁の方法である。ビームトローリングは、巨大な重みをつけた横材（beam）を海底に沿ってひきずり、横材（beam）は、海底（海底の住みか）にいる海洋生物の全てをかき回す。横材（beam）の後ろには、大きなトロール網がある。かき回された魚類（他の海底にいる多くの海洋生物と一緒に）は、ビームトロール網の中に掃きこまれる。この方法における漁は、徹底的に海底の環境を破壊する。トロール漁がただ１度行われることによって、領域は、漁ができる水準に再度回復するまで何年もかかるのに十分なダメージが与えられる。
【００２９】
本発明の餌を用いたはえなわ漁による海底漁は、この海底を住みかとする群集の生存にとってきわめて大切な他の海底生物のいずれをもかき回すことなしに、フラットフィッシュを効果的に標的とすることができることを意味する。はえなわ漁の効率のよさによっては、本発明の餌を用いたはえなわ漁による海底漁によって、ビームトローリングを減少させることが期待される。はえなわ船は、トロール船が漁を行えないようなでこぼこな土地やはるかに深い水中で漁を行うこともできる。
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
徐放性マトリックスに保持されたＬ−プロリンおよび天然餌材料を含むはえなわ漁の海釣のための魚類の餌であって、
徐放性マトリックスは、水和性の形で存在する徐放性の水分解性重合体であり、
Ｌ−プロリンは、天然餌材料の重量より大きい重量存在する、魚類の餌。
【請求項２】
請求項１において、
Ｌ−プロリンは、約３から７重量％存在し、好ましくは５重量％存在する、魚類の餌。
【請求項３】
請求項２において、
水分解性重合体は、カラゲニン（carrageenin）またはその他の親水コロイドである、餌。
【請求項４】
請求項１ないし３のいずれかにおいて、
天然餌材料は、粉末状の凍結乾燥魚である、餌。
【請求項５】
請求項４において、
粉末状の凍結乾燥魚は、２〜１０重量％存在し、好ましくは２〜４重量％存在する、餌。
【請求項６】
請求項１ないし５のいずれかにおいて、
光活性化された化学ルミネセンス材料をさらに含む、餌。  
【請求項７】
請求項１ないし６のいずれかにおいて、
織物基質またはその他の支持媒体に保持されている、餌。
【請求項８】
繊維基質を含む魚類の餌であって、
前記繊維基質は、
Ｌ−プロリンを魚類の化学誘引剤として含む徐放性の水分解性重合体と、
魚類の食用興奮剤として粉末状の凍結乾燥魚と、
を保持する、はえなわ漁の海釣のための魚類の餌。
【請求項９】
請求項１ないし８のいずれかに記載の魚類の餌の、はえなわ漁の海釣における餌としての使用。
【請求項１０】
請求項１ないし８のいずれかに記載の魚類の餌の、タラのはえなわ漁の海釣における餌としての使用。
【請求項１１】
Ｌ−プロリンが添加された魚類の餌の、タラのはえなわ漁の海釣における餌としての使用。
【請求項１２】
請求項１ないし８のいずれかに記載の魚類の餌の、マリンスポーツの海釣における餌としての使用。
【請求項１３】
養殖魚の海釣のための請求項１ないし８のいずれかに記載の魚類の餌の使用。
【国際調査報告】
2005534293.tif 000002
2005534293.tif 000003
2005534293.tif 000004